(57)【要約】【課題】配布された印刷物が見られることなく廃棄されることを防ぎ、印刷物への関心を高める手段を提供する。【解決手段】ユーザーに供給する印刷物に、ナンバーコード及び確認コードを付与し、該ナンバーコード及び確認コードを付与した印刷物を、ユーザーに供給し、インターネットに接続されたパーソナルコンピュータの入力手段を介して、ユーザーコードと共に入力されたナンバーコードを、サーバーが登録された当選情報と照会し、照会結果に応じて、ポイントを付与し、該ポイントを、ユーザー毎にプールする。【選択図】  なし【特許請求の範囲】
【請求項１】
ユーザーに供給する印刷物に、コードを付与し、
該コードを付与した印刷物を、ユーザーに供給し、
入力手段を介して入力されたコードを、
サーバーが登録された当選情報と照会することを特徴とする、
印刷物供給方法。
【請求項２】
ユーザーに供給する印刷物に、ナンバーコード及び確認コードを付与し、
該ナンバーコード及び確認コードを付与した印刷物を、ユーザーに供給し、
入力手段を介してユーザーコードと共に入力されたナンバーコードを、
サーバーが登録された当選情報と照会し、
照会結果に応じて、ポイントを付与し、
該ポイントを、ユーザー毎にプールすることを特徴とする、
印刷物供給方法。
【発明の詳細な説明】
【０００１】
【発明が属する技術分野】
【０００２】
本発明は印刷物供給方法に関し、詳細には、チラシ、新聞、書籍、雑誌、リーフレット、カタログ、パンフレットなどの印刷物供給方法に関する。
【０００３】
【従来の技術】
【０００４】
現代社会では、印刷物として、チラシ、新聞、書籍、雑誌、リーフレット、カタログ、パンフレット等の各種のものが出回っている。
例えば、チラシは、電気店、スーパーマーケット、車屋、不動産屋等の広告宣伝のために、主に、新聞に折り込み広告として入れられ、新聞と共に各家庭に配布されていた。
【０００５】
また、インターネット上で印刷物を扱う技術として、特許文献１（特開２００２−２３０３９８号公報）に記載されたチラシ情報配信方法、及び、チラシ情報配信システムが存在する。
この技術は、多くの読者に対して、有用なチラシ情報を効率よく、低コストで提供するもので、配信先となるネットワークアドレス、及び、必要なチラシ情報を選択するためのチラシ選択情報を含んだ読者情報を読者情報記憶装置に記憶し、宣伝情報、該宣伝情報の有効期間を示す有効期間情報、及び、チラシ情報の発行商店を示す発行商店情報を含んだチラシ基礎情報を基礎情報記憶装置に記憶し、商店特定情報を含んだ商店情報を商店情報記憶装置に記憶し、制御部が、チラシ選択情報に基づき、チラシ基礎情報と商店特定情報とをそれぞれ選択して読者毎にチラシ情報を作成して配信するものである。
【０００６】
【特許文献１】
特開２００２−２３０３９８号公報
【０００７】
【発明が解決しようとする課題】
【０００８】
しかしながら、従来の印刷物供給方法は、例えば、チラシについて考えると、新聞を購読している家庭に一律に配布されているので、チラシの配布を望まない家庭にも配布されていた。
このような家庭では、チラシは厄介なものとして扱われ、チラシを見ることなく廃棄されていた。
【０００９】
また、インターネットによってチラシ情報が配信された場合には、ディスプレイ上、若しくは、プリントアウトすることによって、チラシの内容の確認ができるが、見にくいことや、印刷の時間と手間やインク代等のランニングコストがかかることから、実物のチラシの入手が望まれていた。加えて、毎回通信コストが掛かることがネックとなっていた。
【００１０】
従って、本発明の解決しようとする課題は、配布された印刷物が読まれることなく廃棄されることを防ぎ、印刷物への関心を高めることができる手段を提供することにある。
【００１１】
【課題を解決するための手段】
【００１２】
本発明の課題を解決するための手段は、下記のとおりである。
【００１３】
第１に、ユーザーに供給する印刷物に、コードを付与し、
該コードを付与した印刷物を、ユーザーに供給し、
入力手段を介して入力されたコードを、
サーバーが登録された当選情報と照会することを特徴とする、
印刷物供給方法。
第２に、ユーザーに供給する印刷物に、ナンバーコード及び確認コードを付与し、
該ナンバーコード及び確認コードを付与した印刷物を、ユーザーに供給し、
インターネットに接続されたパーソナルコンピュータの入力手段を介してユーザーコードと共に入力されたナンバーコードを、
サーバーが登録された当選情報と照会し、
照会結果に応じて、ポイントを付与し、
該ポイントを、ユーザー毎にプールすることを特徴とする、
印刷物供給方法。
【００１４】
入力手段としては、ユーザーからの電話を音声自動処理によって受け付ける他に、ユーザーが通信回線に接続されたパーソナルコンピュータ等を用いて直接に入力することもできるし、オペレータが処理して入力することもできるし、携帯電話を介して行うこともできる。
【００１５】
コードは、数字やアルファベットを組み合わせたナンバーコードの他に、バーコードや各種の情報コードを用いることができる。
【００１６】
ナンバーコードは、個々の印刷毎に全く別の番号を付与することもできるし、複数部、例えば１００部毎に同じ番号を付与することもできる。
【００１７】
確認コードは、ナンバーコードが真正なものか否かを判断するのに使うもので、各ナンバーに応じて数字やアルファベットや記号等の特有のものを付与することができる。
例えば、ナンバーコードが１００で確認コードがＡＢであるとすると、ナンバーコード１００が偶然に入力された場合でも、確認コードがＡＡであれば虚偽であると判断することができ、不正を防止することが可能となる。
【００１８】
【実施例】
【００１９】
以下に、印刷物としてチラシに対して行う、本発明の印刷物供給方法の一実施例について説明する。
【００２０】
ユーザーに供給するチラシに、ナンバーコード及び確認コードを印刷する。
【００２１】
ここで、ナンバーコードは、個々のチラシ毎に全く別の番号を連番として付与するが、これに限定されず、例えば１００部毎に同じ番号を付与することもできる。
【００２２】
そして、該ナンバーコード及び確認コードを付与した印刷物を、ユーザーに配達等によって供給する。
なお、同じ番号を付与した場合には、チラシを配布する際に、同一地域に同一番号のチラシが配布されないように配慮する。
【００２３】
チラシを受け取ったユーザーは、チラシに印刷されたナンバーコード及び確認コードを見つけるために、チラシ自体を読んで保存する。
そのため、チラシが、見られることなく捨てられる恐れが少なくなる。
【００２４】
チラシに印刷されたナンバーコード及び確認コードを認識したユーザーは、インターネットに接続されたパーソナルコンピュータの入力手段を介して、ユーザーコードと共にナンバーコード及び確認コードを入力する。
【００２５】
そして、入力情報に従い、サーバーが、登録された当選情報と照会する。
【００２６】
ここで、例えば、ナンバーコードが１００で確認コードがＡＢであるとすると、ナンバーコード１００で確認コードＡＡが入力された場合には、入力ミスの場合を考慮して再入力の機会を３回程度に限定する。
そして、それでも異なる場合には、虚偽の可能性があると判断し、その後の処理を停止することで、不正を防止することが可能となる。
【００２７】
また、サーバーは、ナンバーコードを地域情報と共に管理することで、実際のチラシの配布地域を考慮して、不正の防止を図ることも可能となる。
【００２８】
照会結果に応じて、サーバーが、ユーザー毎にポイントを付与する。
例えば、１等の場合には１００点、２等の場合には５０点、６等の場合には１点を付与する。
【００２９】
そして、該ポイントを、入力されたユーザーコードに従って区分けし、ユーザー毎に、サーバーの記録手段に記録することで、ユーザー毎にポイントをプールする。
【００３０】
プールしたポイントは、ユーザーが、パーソナルコンピュータの入力手段を介してユーザーコードを入力することで確認できる。
また、該ポイントは、所定のショッピングサイトで、ユーザーが商品購入のために対価として使うことができる。
【００３１】
【発明の効果】
【００３２】
本発明によれば、配布された印刷物が見られることなく廃棄されることを防ぎ、印刷物への関心を高めることができる。